(57)【特許請求の範囲】
【請求項１】
回転ドラムと、この回転ドラムの周面に光を照射することが可能な光源ユニットと、を備え、支持体上に受像層が設けられた受像シートを前記回転ドラムの周面の所定位置に巻付け、前記受像シートより大きいサイズで支持体上にドナー層が設けられたドナーシートを受像シートに重ねて前記回転ドラムに巻付け、当該回転ドラムを光源ユニットに対して相対回転させながら、所定の画像情報に基づいて光を照射することで、前記ドナーシートの前記ドナー層のインクを前記受像シートの前記受像層に転写する画像転写記録装置であって、
前記回転ドラムへ先に巻付けられた前記受像シートの周縁よりも外側で、かつ受像シートに重ねて回転ドラムへ巻付けられて受像シートの周縁から突出される前記ドナーシートの周縁に対応する領域に、当該回転ドラムの周面から突出するように設けられた土手部と、
前記受像シート及び前記ドナーシートが巻付けられた前記回転ドラムの周面に対して接離可能に配設され、前記回転ドラムに巻付けられる前記受像シート及び前記ドナーシートを回転ドラムへ押圧しながら回転ドラムの周方向に移動されることにより、回転ドラムの周面と前記受像シート及び前記受像シートと前記ドナーシートとを密着可能とするスクイジローラと、
前記スクイジローラの軸線方向両端部で前記回転ドラムの前記土手部に対向する領域に、スクイジローラの軸線方向の中央部より半径寸法が小さくされて形成された段差部と、
を有する画像転写記録装置。
【請求項２】
前記回転ドラムの周面で前記受像シート及び前記ドナーシートが巻付けられる領域に、エアーを吸引することにより前記受像シート及び前記ドナーシートを吸着可能とする複数の小孔又は溝が形成され、前記小孔又は前記溝の最外周を間に挟むように前記土手部が二重枠状に形成されている請求項１記載の画像転写記録装置。
【請求項３】
前記スクイジローラにおける、前記回転ドラムの前記土手部に対応する領域の半径をｒｄ、前記土手部よりも内側で前記受像シート巻付領域に対応する領域の半径をｒｓ、前記受像シートの肉厚寸法をｓ、前記土手部の高さ寸法ｄとした場合に、−３０μｍ＜｛（ｄ−ｓ）−（ｒs−ｒd）｝＜＋７０μｍとなるように、それぞれのパラメータを設定している請求項１又は請求項２記載の画像転写記録装置。
【請求項４】
前記受像シートの肉厚寸法をｓ、前記土手部の高さ寸法ｄとした場合に、ｄ≧ｓとなるようにそれぞれのパラメータを設定している請求項１から請求項３の何れか１項記載の画像転写記録装置。
【発明の詳細な説明】
【０００１】
【発明の属する技術分野】
本発明は、回転ドラムと、この回転ドラムの周面に光を照射することが可能な光源ユニットと、を備え、支持体上に受像層が設けられた受像シート及び、支持体上にドナー層が設けられたドナーシートを、前記回転ドラムに階層的に巻付け、当該回転ドラムと光源ユニットとを相対回転させながら、所定の画像情報に基づいて光を照射することで、前記ドナー層のインクを前記受像シートの受像層に転写する画像転写記録装置に関するものである。なお、ドナーシートは、インクフィルム、ドナーフィルム等と呼ばれることもあり、受像シートは、受像フィルム、レシーバー等と呼ばれることがある。また、ドナー層はインク層と呼ばれることもある。
【０００２】
【従来の技術】
印刷業界においては、高速かつ大量印刷可能な印刷期を用いて印刷する前に、費用や時間をかけることなく校正用の印刷を行っている。
【０００３】
校正用の印刷装置においては、できるだけ仕上がりイメージに近い画像を出力することが望まれる。このような装置には、いくつかの方式が存在するが、転写式の画像記録転写装置が、比較的小規模な装置であるにも拘らず、精細なイメージが形成するものとして知られている。
【０００４】
上記画像転写記録装置では、受像シート及びドナーシートが用いられる。受像シートは露光用のドラムに巻付けられ、さらにその上にドナーシートが重ねられる。
【０００５】
さらに、レーザ露光することによってドナーシートのドナーインクが受像シート上に転写され、受像シート上に画像が形成される。
【０００６】
また、カラー画像を形成するためには、上記の動作が複数色のドナーシートに対して繰り返される。すなわち、受像シートを露光用のドラムに巻付けたまま、露光済みのドナーシートのみを剥離した後、別色のドナーシートを受像シート上に巻付けて、レーザ露光を行う。この作業を複数のドナーシートに対して順次繰り返すことで、受像シート上にカラー画像を形成することができる。
【０００７】
上記の如く、ドナーシートからドナーインクが受像シートに確実に転写されるためには、受像シートとドナーシートとの密着性が大きな要素となる。密着性が悪く、例えば、気泡等が存在すると、適正な露光が行われても転写がされない。
【０００８】
このため、受像シートとドナーシートとをドラムに巻付ける際には、スクイジローラを利用する。
【０００９】
すなわち、スクイジローラがドラムから離間している状態で、受像シート又はドナーシートの巻きつけ方向先端がドラムの周面に到達した時点で、スクイジローラを、この受像シート又はドナーシート上へ接触させ、このスクイジローラとドラムとで挟持する。これにより、受像シート又はドナーシートは、ドラム周面に押圧されながら巻付けられることになる。これにより、空気が逃げながら密着されるため、気泡等を解消することができる。
【００１０】
ところで、上層側のドナーシートと下層側の受像シートとは、巻付け時と同様にそれぞれ別個に剥離する必要があるため、両者のサイズを異ならせ、剥離性を向上している。すなわち、上層側のドナーシートのサイズの方が下層側の受像シートのサイズよりも若干大きめになっており、例えば剥離爪等が先に上層側のドナーシートのみに効くため、ドナーシートのみを受像シートから剥離することができる。
【００１１】
ところが、このサイズの違いにより、受像シートの肉厚寸法分、ドナーシートの周縁は浮いてしまい、スクイジローラの押圧力が均等にならない。このために、空気が逃げ難くなって、密着性を損なうことがあった。そこで、このドナーシートの周縁に対応する枠状の領域に土手部を形成するようにしている。これにより、スクイジローラによる押圧力を均等とすることができる。
【００１２】
【発明が解決しようとする課題】
しかしながら、上記土手部は、受像シートの肉厚寸法相当という、非常にラフな設定であったため、例えば、受像シート又はドナーシートの巻付け時にたるみがあったり、テンションが不均一となると、土手部が逆に悪影響を及ぼし、密着不良を起こすことがあった。
【００１３】
本発明は上記事実を考慮し、受像シート及びドナーシートが適正に巻付けられるときは土手部としての機能を十分に発揮することができ、かつ受像シート及びドナーシートがテンション不均一等で巻付けられたときにも土手部の機能を十分に発揮させ、密着性を向上することができる画像転写記録装置を得ることが目的である。
【００１４】
【課題を解決するための手段】
請求項１に記載の発明は、回転ドラムと、この回転ドラムの周面に光を照射することが可能な光源ユニットと、を備え、支持体上に受像層が設けられた受像シートを前記回転ドラムの周面の所定位置に巻付け、前記受像シートより大きいサイズで支持体上にドナー層が設けられたドナーシートを受像シートに重ねて前記回転ドラムに巻付け、当該回転ドラムを光源ユニットに対して相対回転させながら、所定の画像情報に基づいて光を照射することで、前記ドナーシートの前記ドナー層のインクを前記受像シートの前記受像層に転写する画像転写記録装置であって、前記回転ドラムへ先に巻付けられた前記受像シートの周縁よりも外側で、かつ受像シートに重ねて回転ドラムへ巻付けられて受像シートの周縁から突出される前記ドナーシートの周縁に対応する領域に、当該回転ドラムの周面から突出するように設けられた土手部と、前記受像シート及び前記ドナーシートが巻付けられた前記回転ドラムの周面に対して接離可能に配設され、前記回転ドラムに巻付けられる前記受像シート及び前記ドナーシートを回転ドラムへ押圧しながら回転ドラムの周方向に移動されることにより、回転ドラムの周面と前記受像シート及び前記受像シートと前記ドナーシートとを密着可能とするスクイジローラと、
前記スクイジローラの軸線方向両端部で前記回転ドラムの前記土手部に対向する領域に、スクイジローラの軸線方向の中央部より半径寸法が小さくされて形成された段差部と、を有する。
【００１５】
請求項１に記載の発明によれば、回転ドラムに巻付けられる受像シートの周囲を囲うと共に、ドナーシートの周縁部が対向されるように形成された土手部に対して、スクイジローラに段差部を設けることで、回転ドラムの周面（土手部よりも内側の主領域）と、ドラムの周面に巻付けられる受像シート及びドナーシートの双方に最適な押圧力を与えることができ、受像シート及びドナーシートの密着性を向上することができる。
【００１６】
請求項２記載の発明は、前記請求項１記載の発明において、前記回転ドラムの周面で前記受像シート及び前記ドナーシートが巻付けられる領域に、エアーを吸引することにより前記受像シート及び前記ドナーシートを吸着可能とする複数の小孔又は溝が形成され、前記小孔又は前記溝の最外周を間に挟むように前記土手部が二重枠状に形成されている。
【００１７】
請求項２に記載の発明によれば、ドナーシートのサイズが受像シートよりも大きくして剥離性を向上した場合において、このドナーシートの周縁部を土手部の間に設けている小孔又は溝により吸着する。
【００１８】
このように本発明では、前記スクイジローラにおける、前記回転ドラムの土手部に対応する領域の半径をｒｄ、前記土手部よりも内側に対応する軸線方向中央部の受像シート巻付領域の半径をｒs、とした場合に、ｒs−ｒd＞０となるように、前記段差部を形成している。
【００１９】
このような段差部は、通常は土手部がドラム周面よりも高いため、その分半径寸法を小さくすればよく、受像シートやドナーシートの肉厚寸法を考慮せず、標準的な寸法とした場合には、ｒs−ｒd＞０とすることで、理論的には均一な押圧力を得ることができる。
【００２０】
請求項３記載の発明は、前記請求項１又は請求項２記載の発明において、前記スクイジローラにおける、前記回転ドラムの前記土手部に対応する領域の半径をｒｄ、前記土手部よりも内側で前記受像シート巻付領域に対応する領域の半径をｒｓ、前記受像シートの肉厚寸法をｓ、前記土手部の高さ寸法ｄとした場合に、−３０μｍ＜｛（ｄ−ｓ）−（ｒs−ｒd）｝＜＋７０μｍとなるように、それぞれのパラメータを設定している。
【００２１】
請求項３に記載の発明によれば、前記請求項では、受像シートとドナーシートの肉厚寸法が適正であることを前提としたが、製造上の公差等で変動することもあり得る。そこで、当該公差等を考慮した上で、−３０μｍ＜｛（ｄ−ｓ）−（ｒｓ−ｒｄ）｝＜＋７０μｍが成立するように、各パラメータを設定することで、実際に稼動する上での最適な状態を得ることができる。
【００２２】
請求項４記載の発明は、前記請求項１から請求項３の何れか１項記載の発明において、前記受像シートの肉厚寸法をｓ、前記土手部の高さ寸法ｄとした場合に、ｄ≧ｓとなるようにそれぞれのパラメータを設定している。
【００２３】
請求項４に記載の発明によれば、土手部を形成するときに少なくともｄ≧ｓとすることで、段差部を形成した効果を得ることができる。
【００２４】
【発明の実施の形態】
図１は、画像転写記録装置１の概略を示す縦断面図である。この図１に示すように、画像転写記録装置１は、受像シート供給部１００と、ドナーシート供給部２００と、記録部３００と、排出部４００とを備えている。また、画像転写記録装置１は、本体カバー１０によって表面を覆われ、脚部２０によって支えられている。
【００２５】
画像記録転写記録装置１において、受像シート供給部１００は、記録部３００に対して受像シート１４０を供給する。また、ドナーシート供給部２００は、複数の種類のドナーシート２４０を記録部３００に供給することが可能であり、記録部３００に対して複数の種類のドナーシート２４０の中から１種類のドナーシートを選択的に供給することができる。記録部３００においては、ドラム３１０に巻付けられた受像シート上に、さらにドナーシートが重ねて巻付けられる。そして、受像シート１４０上に重ねられたドナーシート２４０に対して、記録する画像情報に基づき記録用ヘッド３６０によりレーザ露光を行う。レーザにより加熱された部分のドナーシート２４０のドナーインクが昇華或いは溶融により受像シート１４０に付着して転写されると、受像シート１４０上に対して、異なる複数色（例えば、イエロー（Ｙ）、マゼンタ（Ｍ）、シアン（Ｃ）、ブラック（Ｋ）等）のドナーシート２４０のドナーを付着させることによって、受像シート１４０上にカラー画像を形成することができる。これは、受像シート１４０をドラム３１０に巻付けたまま、露光済みのドナーシート２４０を別色のドナーシート２４０に順次交換してレーザ露光することによって達成される。使用済みのドナーシート２４０は、排出部４００を経由してカバー本体１０の外部（図１の右側面）に設けられた廃棄箱４０に廃棄される。
【００２６】
一方、画像が形成された受像シート１４０は、前記排出部４００を経由して（排出部４００でスイッチバックして、カバー本体１０の上部のトレイ５０に排出される。そして、さらに別設の図示しないラミネート部において、印刷対象である紙に加熱加圧される。これによって、任意の印刷用紙上に受像シート１４０からドナーインクが転写されて画像が形成される。
【００２７】
受像シート供給部１００は、受像シートロール１３０と受像シート搬送部１５０とを有している。受像シートロール１３０は、芯１３２に受像シート１４０が巻回されたものである。また、受像シート１４０は、支持層及び受像層を有しており、受像層は支持層の上に積層されている。受像シートロール１３０においては、受像層が支持層に対して外側になるように巻回されている。また、受像シートロール１３０は、芯１３２の中心軸まわりに回転できるように設置されている。
【００２８】
画像記録転写装置１は、６個のドナーシートロール２３０が回転ラック２１０内に収容されている場合が示されている。この６種類のドナーシートとしては、イエロー、マゼンタ、シアン、ブラックの４色のドナーシートと、２色の特色（金色や銀色、若しくは特定の混色等）のドナーシートと、を用いることができる。
【００２９】
回転ラック２１０はさらに、複数のドナーシート繰り出し機構を有しており、このドナーシート繰り出し機構によって、所望の種類のドナーシート２４０がドナーシートロール２３０からドナーシート搬送部２７０へと送出される。
【００３０】
なお、上記画像転写記録装置１においては、フィルムローディングユニット１７０とレコーディングユニット１８０に分離することが可能となっている。
【００３１】
図２乃至図４に示される如く、記録部３００のドラム３１０は、中空の円筒形状を有しており、図示しないフレームに回転自在に保持されている。ドラム３１０は、その回転軸３１２がモータに連結されており、モータの駆動により回転する。ドラム３１０の直径は通常２００ｍｍ〜５００ｍｍ程度である。
【００３２】
ドラム３１０の周面には、複数の貫通孔３１４が設けられ、それぞれドラム３１０の内方空間部３１５と連通している。このドラム３１４の内方空間部３１５は、円筒状の回転軸３１２の内方空間を介して図示しない吸引ブロワーの動作によってエアーが吸引されるようになっており、この結果、貫通孔３１４からエアーをドラム３１０の内方空間部３１５を介して吸引することができる構成となっている。なお、ドラム３１０の周面に細幅の複数の溝を形成し、各溝に少なくとも１個の貫通孔を設ける構造であってもよい。
【００３３】
また、ドラム３１０の周面には、受像シート１４０等の巻付け時の先端位置及び後端位置の近傍、並びに両端面との角部近傍に土手部３２０、３２２が形成されている。この土手部３２０、３２２、ドラム３１０の周面を展開したときに２重の枠形状となる。なお、前記ドラム３１０の最外周に形成された貫通孔３１４は、この一対の土手部３２０、３２２の間に配置されている。
【００３４】
すなわち、内側の土手部３２２のさらに内側のドラム周面が受像シート１４０の密着対象領域となっている。一方、ドナーシート２４０は、受像シート１４０よりも若干大きめであり、ドラム３１０に巻付けられたとき、その周縁は、外側の土手部３２０上に対応するようになっている。
【００３５】
本実施の形態では、土手部３２０、３２２や受像シート１４０をドラム３１０の周面に直接設置しているが、ドラム周面に別のシートを介して設置してもかまわない。
【００３６】
このドラム３１０の周囲の所定位置にはスクイジローラ３３４が、当該ドラム３１０に対して接離可能に配設されている。このスクイジローラ３３４は、前記受像シート１４０又はドナーシート２４０をドラム３１０に巻付けるときにドラム３１０へ押圧し、密着させる役目を有している。
【００３７】
また、本実施の形態では、スクイジローラ３３４の軸線方向両端部に段差部３３６が設けられている。段差部３３６は、ドラム３１０における前記土手部３２０、３２２に対応する位置に設けてある。
【００３８】
図３に示される如く、この段差部３３６の半径寸法ｒdは、スクイジローラ３３４の軸線方向中央部、すなわちドラム３１０における前記土手部３２０、３２２よりも内側に対応する位置の半径寸法ｒs、土手部３２０、３２２の高さ寸法ｄ、並びに受像シート１４０の肉厚寸法ｓに基づいて設定されている。
【００３９】
スクイジローラ３３４の半径寸法がｒdの部分ｒsの部分の境目の位置は受像シート１４０のエッジ近傍であることが望ましい。それより内側だと、受像シート１４０のエッジ近傍の密着が不十分になりやすく、外側だと土手部３２０、３２２との間に隙間が発生して密着不良が発生しやすい。また、土手部３２０、３２２の高さＳは、受像シート１４０の低面からの高さである。受像シート１４０や土手部３２０、３２２とドラム３１０面の間に別のシート等を設置した場合も、同様に受像シート１４０の低面からの高さをＳとする。
【００４０】
図１に示される如く、記録用ヘッド３６０は、ビーム状のレーザ光を出射することができ、このレーザ光が照射された位置のドナーシート２４０のドナーインクは、受像シート１４０の表面（受像層）に転写される。
【００４１】
また、記録用ヘッド３６０は、図示しない駆動機構によって、ドラム３１０の回転軸に平行な方向に直線的に移動することができる。従って、ドラム３１０の回転運動と記録用ヘッド３６０の直線移動との組み合わせによって、受像シートを覆うドナーシート上の所望の位置をレーザ露光することが可能である。このため、描画用の光ビームであるレーザ光でドナーシート上を走査して、画像情報に基づいて対応する位置のみをレーザ露光することによって、所望の画像を受像シート１４０に転写することができる。
【００４２】
以下に本実施の形態の作用を説明する。
【００４３】
まず、厚さ１５０μｍの受像シート１４０を引き出し、所定の長さに切断して、記録部３００へと搬送する。記録部３００においては、搬送されてきた受像シート１４０を、重さ４．５ｋｇのスクイジローラ３３４の自重によってドラム３１０に押圧しながらドラム３１０に巻き付ける。このスクイジローラ３３４は、ステンレスの軸の周りにシリコンゴム（硬度４０度（Ａ））を、肉厚寸法約３．５ｍｍになるように形成され、自由回転可能である。なお、受像シート１４０は、内側の土手部３２２のさらに内側の領域に巻付けられる。このとき、ドラム３１０の表面に設けられた複数の貫通孔３１４からエアーが吸引されることで、吸着される。これによって、受像シート１４０は、ドラム３１０の回転に伴って、ドラム３１０に吸着されながら巻付けられ、保持される。
【００４４】
次は、ドナーシート２４０が記録部３００に搬送される。所定長さに接続されて、記録部３００に搬送されてきたドナーシート２４０はスクイジローラ３３４によってドラム３１０に押圧しながらドラム３１０に巻付ける。
【００４５】
受像シート１４０及びドナーシート２４０の２種類のシートは、その大きさが互いに異なる。ドナーシート２４０は、縦方向及び横方向のいずれの方向にも受像シート１４０よりも大きく、ドナーシート２４０の周縁は外側の土手部３２０まで達している。従って、ドナーシート２４０は最外周の貫通孔３１４（土手部３２０、３２２の間の貫通孔３１４）によって吸引され、ドラム３１０に吸着保持される。
【００４６】
ドラム３１０に巻付けられた受像シート１４０の受像層とドナーシート２４０のドナー層とは吸引によって、強い圧力で接触している。以上の巻き付け工程が終了すると、ドラム３１０は高速回転（通常４００〜８００ｒｐｍ）を開始する。ドナー層のドナーインクは、ドラム３１０の高速回転中、ドラム回転軸に平行に移動する記録用ヘッド３６０によって画像様にレーザ露光されて受像シート１４０の受像層に転写される。
【００４７】
ここで、本実施の形態では、スクイジローラ３３４の軸線方向両端部に、ドラム３１０における前記土手部３２０、３２２に対応する位置に段差部３３６を設けてある。この段差部３３６の半径寸法ｒdは、スクイジローラ３３４の軸線方向中央部、すなわちドラム３１０における前記土手部３２０、３２２よりも内側に対応する位置の半径寸法ｒs、土手部３２０、３２２の高さ寸法ｄ、並びに受像シート１４０の肉厚寸法ｓに基づいて適正に設定されており、受像シート１４０及びドナーシート２４０のそれぞれに最適な圧力で押圧することができる。
【００４８】
表１は、前記段差部３３６を形成したことによる評価として、密着不良評価（良：○、不良を×とし、５回のテストにおいて１回でも密着不要を起こした場合は不良とした）と、エアー漏れ評価（貫通孔３１４からエアーを吸引しているときの音により判断した）とを行った。なお、この評価試験において、土手３２０、３２２がない場合も併せて評価を行った（表１の備考欄に注記）。
【００４９】
【表１】
0004210038.tif 000002
【００５０】
（評価方法の詳細）
Ａ：密着不良
富士写真フィルム（株）製、Luxel Final Proof CP-5600（国内向け）のスクイジローラを交換、及び、土手の粘着テープを貼り変えてテストした。受像シート、ドナーシートは、同機標準の日本国内向け材料を使用した。
【００５１】
装置のフィルムローディングユニット１７０を、レコーディングユニット１８０に対して５ｍｍ程度左側が下がるように傾けた。こうすることによって、密着不良の発生頻度が高くなり、少ない枚数で実験ができるからである。
【００５２】
記録画像は、同社ＰＤシステムより、Ｂ２サイズ全面平網５０％のＫ、Ｃ、Ｍ、Ｙの４色の画像を複数枚印刷した。
【００５３】
その結果、画像の一部に記録不良（密着不良による、不良のサイズが１ｃｍ以上のもの）が発生した受像シート枚数を数えた（不良枚数／テスト枚数）。
Ｂ：エアー漏れ評価
ドナーシートと土手の間からエアーが漏れると、シート巻き付け時よりも、ドラム３１０が高速回転する記録開始前又は記録中にドナーシートが浮き気味になって、ひどいときには、剥がれて飛ぶことがある。その場合には、記録できないため、密着評価はできない。
【００５４】
エアー漏れは、ドナーシートを巻付けた後に、ドラム３１０の高速回転前にドナーシートとのエッジと土手の間からエアーが漏れる音を聞くことで、漏れレベルが推定できる。
【００５５】
音が従来例と同じ場合を○、音が従来例より大きい場合を△、回転中にドナーシートが剥がれた（又は飛んだ）場合を×とした。
【００５６】
上記表１のテスト結果に基づき、スクイジローラ３３４の段差部３３６の寸法を設定すると、以下の如くまとめることができる。
▲１▼  スクイジローラ３３４に、ドラム３１０に形成した内側の土手部３２２のさらに内側に対応する位置に段差部３３６の境界を設ける。
▲２▼  スクイジローラ３３４の段差部３３６の半径をｒd、元の半径（受像シート１４０のみ対応する領域の半径）をｒsとした場合、それぞれの半径ｒdと半径ｒsを、
ｒs−ｒd＞０μｍ・・・…（１）
が成り立つように設定する。
▲３▼  受像シート１４０の肉厚寸法をｓ、土手部３２０、３２２の高さ寸法をｄとした場合、この寸法ｓ、ｄ並びに半径ｒs、ｒdの関係を、
−３０μｍ＜（ｄ−ｓ）−（ｒs−ｒd）＜７０μｍ・・・（２）
が成り立つように設定する。
▲４▼  受像シート１４０の肉厚寸法ｓと、土手部３２０、３２２の高さ寸法ｄとの関係を、
ｄ  ≧  ｓ・・・（３）
が成り立つように設定する。
【００５７】
以上の条件を成り立たせるように、スクイジローラ３３４に段差部３３６を形成することで、多少のたるみやテンションの不均一があっても、受像シート１４０とドナーシート２４０との間のエアーを確実に抜くことができ、これにより密着不良による画質の低下（記録むら）を防止することができる。
【００５８】
次に、転写が終了したドナーシート２４０を、ドラム３１０から剥離して、排出４００へと排出し、本体カバー１０の外側の受像シート廃棄箱４０へ廃棄する。
【００５９】
次に、ドラム３１０に巻付けられたままの受像シート１４０上に別色のドナーシート２４０が巻付けられる。そして、上述の動作によって、レーザ露光によって、受像シート１４０にドナーシート２４０のドナーインクが転写された後、ドナーシート２４０が剥離して排出する。
【００６０】
同様の動作が、所定の複数の種類のドナーシート２４０に対して繰り返される。例えば、ブラック、シアン、マゼンタ、イエローの４種類のドナーシートが適用されると受像シート１４０にカラー画像が転写される。
【００６１】
その後、複数の種類のドナーインクが転写された受像シート１４０が剥離される。受像シート１４０が剥離される。受像シート１４０の剥離は、ドナーシート２４０の剥離と同様にして行われる。剥離されたドナーシート２４０は、排出部４００へ送られ、ここでスイッチバックすることで、カバー本体１０の上部のトレー５０上に排出される。
【００６２】
【発明の効果】
以上説明した如く本発明では、受像シート及びドナーシートが適正に巻付けられるときは土手部としての機能を十分に発揮することができ、かつ受像シート及びドナーシートがテンション不均一等で巻付けられたときにも土手部の機能を十分に発揮させ、密着性を向上することができるという優れた効果を有する。
【００６３】
また、ローディングユニットの取付精度を下げられるため、設置場所の平坦度等の制限が緩められる効果もある。
【図面の簡単な説明】
【図１】本実施の形態に係る画像転写記録装置の概略構成図である。
【図２】回転ドラムの構造を一部断面として示した側面図である。
【図３】回転ドラムの土手部が形成された部分の拡大図である。
【図４】回転ドラムの斜視図である。
【符号の説明】
１    画像記録転写装置（画像記録転写装置）
１００    受像シート供給部
１４０    受像シート（受像シート）
１７０    ローディングユニット
１８０    レコーディングユニット
２００    ドナーシート供給部
２４０    ドナーシート（ドナーシート）
３００    記録部
３１０    回転ドラム（回転ドラム）
３１４    貫通孔（小孔又は溝）
３２０    土手部（土手部）
３２２    土手部（土手部）
３３４    スクイジローラ（スクイジローラ）
３３６    段差部（段差部）
３６０    記録用ヘッド（光源ユニット）
４００    排出部
【図１】
0004210038.tif 000003
【図２】
0004210038.tif 000004
【図３】
0004210038.tif 000005
【図４】
0004210038.tif 000006